(57)【要約】      （修正有）【課題】光の明暗の変化を、離れた所にある装置に、電力で伝えられる装置を提供する。【解決手段】固定抵抗３と素子２を並列に繋ぐ事で、可変抵抗５の値を変えるだけで、ひとつのトランジスター１経由で、外光の照度に、対応して、導線の端末１１から電力が、得られる。【選択図】図１
0003219356.tif 000002
【実用新案登録請求の範囲】
【請求項１】
光が入射すると、抵抗値が小くなる素子（２）から出ている、二本の導線のうち、片方は、抵抗（３）から出ている二本の導線のうちの一本と、導線の接続点（６）で、繋がっていて、可変抵抗（５）から出ている二本の導線のうちの一本も、導線の接続点（６）で、素子（２）と、抵抗（３）に繋がっていて、素子（２）のもう片方の導線は、抵抗（３）から出ている導線のうち、接続点（６）と繋がっていない方の導線と、繋がっていて、さらに、正極（１２）と繋がっており、可変抵抗（５）の接続点（６）と繋がっていない、もう片方の導線は、負極（１０）と繋がっており、導線の接続点（６）は、さらに、抵抗（７）と繋がっていて、抵抗（７）から出ている二本の導線のうち、接続点（６）と繋がっていない方のもう一本の導線は、抵抗（８）とトランジスター（１）のベースと繋がっていて、抵抗（８）から出ている二本の導線のうち、トランジスター（１）と繋がっていない方の一本の導線は、負極（１０）と繋がっており、トランジスター（１）のエミッターは負極（１０）と繋がっており、トランジスター（１）のコレクターは、抵抗（９）から出ている二本の導線のうちの一本の導線と、接続点（４）で繋がっていて、さらに、この接続点（４）は、導線の端末（１１）と繋がっていて、抵抗（９）のもう片方の一本の導線は、正極（１２）と繋がっている、装置。
【考案の詳細な説明】
【技術分野】
【０００１】  本考案（１５）は、センサー素子の応用方法の技術に属する。
【背景技術】
【０００２】  センサー素子の応用と、トランジスターの性質であるエミッターとベース間の電流の発現現象を利用する技術を背景として持つ。
【先行技術文献】
【特許文献】
【０００３】
【特許文献１】特許公開（特許公開２０１４−０８７０４０）
【特許文献２】特許公開（特許公開２０１３−１１８６０２）
【実用新案文献１】
登録第３１９７１９４号
【実用新案文献２】
登録第３２０４９４７号
【実用新案文献３】
登録第３２１７６２９号
【考案の概要】
【考案が解決しようとする課題】
【０００４】  本考案（１５）は、外部（野外など）、屋内に取り付けて、本考案（１５）である装置（図１）が明暗を感知して、増幅器へ電圧（導線の端末（１１））と電流（導線の端末（１１））を、供給できるようにすることにある。【０００５】  本考案（１５）では、ひとつのトランジスター（１）で、高電圧信号を得られ、光を当てると抵抗値が変化する素子（２）の抵抗値が変化したときに、ひとつのトランジスター（１）のベースとエミッター間の電流の変化により、コレクターから高電圧信号を得ることが出来ので、その信号を導線の端末（１１）に、出力することにした（図１）。【０００６】  素子（２）の制御の為の考察。
【課題を解決するための手段】
【０００７】  登録第３２０４９４７号では、三つのトランジスターを使用して、各々のトランジスターからの出力を利用して、目的とする動作をさせる為の初期信号を得ていた。【０００８】  登録第３２１７６２９号では、一つのトランジスターを使用して、トランジスターからの出力を利用して、目的とする動作をさせ、ＬＥＤを発光させていた。【０００９】  また、固定抵抗（３）を、入れる事により、素子（２）がショートしても、照明（１６）は付きぱなしになり、本考案（１５）と繋がれた照明（１６）は、照明（１６）としての役割は果たし、素子（２）の抵抗値も調整できるようになった。【００１０】  これは、素子（２）の制御の為の考察であり、固定抵抗（３）を、入れる事により、素子（２）の抵抗値が３００オームで固定抵抗（３）の抵抗値が１００オームであった時の、素子（２）と固定抵抗（３）の合成抵抗は、７５オームとなり、素子（２）の抵抗値が５００オームで固定抵抗（３）の抵抗値が１００オームであった時の、素子（２）と固定抵抗（３）の合成抵抗は、約８３オームとなり、素子（２）の抵抗値が１０００オームで固定抵抗（３）の抵抗値が１００オームであった時の、素子（２）と固定抵抗（３）の合成抵抗は、約９１オームとなり、、素子（２）と固定抵抗（３）の合成抵抗は、なだらかに変化する様になった。【００１１】  本考案（１５）の負極（１０）と電源の負極（１７）の間に抵抗などの負荷を掛ければ、導線の端末（１１）の電圧の高さを制御する事が出来、負荷として抵抗の場合を入れた場合は、抵抗に掛かる電圧分だけ、本考案の導線の端末（１１）と負極（１０）の電圧は、低くなる。【００１２】  本考案（１５）は、トランジスター（１）のベースとエミッターに電流が流れなければ、コレクターとエミッターに電流が流れない、トランジスターの特性を利用した物である。【００１３】  図２の様に、雷などが落ちない、円筒形、または、ただの筒の様な物（１３）に、本考案（１５）を入れて、耐光性のある透明樹脂（１４）や、樹脂で密封すれば、光に対して反応して、一定の電力（１１）を発生させる装置（１５）として、機能するようになった。
【考案の効果】
【００１４】  図２の様に、本校案（１５）を、円筒形の筒（１３）に入れる事で、取り付けが容易な形状を得て、使い勝手が向上した。【００１５】  本考案（１５）の様な回路（図１）にすることで、本考案（１５）と、本考案（１５）を繋ぐいろいろな装置（１６）、の間隔（図３）を、かなり得ることが出来る様になった。
【図面の簡単な説明】
【００１６】
【図１】  本考案（１５）の回路。
【００１７】
【図２】  本考案（１５）を円筒形の筒（１３）に入れて、樹脂（１４）で覆った様子。
【００１８】
【図３】  本考案（１５）と、いろいろな装置（１６）を、距離を置いて設置した様子。
【００１９】
【図４】  本考案（１５）の負極（１０）と、電源の負極（１７）の間に、ヒューズ（１８）を入れた様子。
【００２０】
【図５】  本考案（１５）の設置例。
【考案を実施するための形態】
【００２１】  図５の様に、物（１９）の頂点に取り付けて、本考案（１５）の導線の端末（１１）を、本考案（１５）から離れている装置（１６）と繋ぐ事によって、装置（１６）を制御することが出来る。
【００２２】  本考案（１５）は、素子（２）が明るく照射されるか、また、素子（２）への光の照射が全くない状態以外のときに、本考案（１５）の導線の端末（１１）の電圧が、０ポルトに近くなる。
【実施例】
【００２３】  本考案（１５）で、照明（１６）の夜間点灯が可能である。
【産業上の利用の可能性】
【００２４】  本考案（１５）は、回路（図１）が単純なので、光を利用したデバイスメモリーに於て、本考案（１５）を１個使うことで、１ビットの記憶媒体（１６）を形成する構成（１６）要素の一部を成す可能性がある。
【符号の説明】
【００２５】１．  トランジスター
２．  光に反応して抵抗値が変化する素子
３．  任意の値の抵抗
４．  導線の接続点
５．  可変抵抗または固定抵抗、半固定抵抗
６．  導線の接続点
７．  任意の値の抵抗
８．  任意の値の抵抗
９．  任意の値の抵抗
１０．負極
１１．導線の端末、または、末端のある導線
１２．正極
１３．筒状の物体
１４．透明樹脂
１５．本考案
１６．何らかの装置
１７．電源の負極
１８．ヒューズ等
１９．高さのある物体
２０．地面
２１．接点
【図１】
0003219356.tif 000003
【図２】
0003219356.tif 000004
【図３】
0003219356.tif 000005
【図４】
0003219356.tif 000006
【図５】
0003219356.tif 000007